(57)【要約】【課題】タンクに加わる曲げモーメントの抑制効果を向上させたタンク支持装置を得ること。【解決手段】本発明は、地面に一端が固定された脚１０の他端に接続され、円筒形のタンクを支持するタンク支持装置であって、一端がタンクに固着された円柱状の短軸３と、短軸３の他端側に取り付けられた内輪２１Ａおよび脚１０に取り付けられた外輪２１Ｂにより構成された球面軸受２１と、短軸３を貫通させた状態で脚に取り付けられたリング状のゴム２８と、を備える。【選択図】図２
2016223606.tif 000002
【特許請求の範囲】
【請求項１】
地面に一端が固定された脚の他端に接続され、円筒形のタンクを支持するタンク支持装置であって、
一端が前記タンクに固着された円柱状の短軸と、
前記短軸の他端側に取り付けられた内輪および前記脚に取り付けられた外輪により構成された球面軸受と、
前記短軸を貫通させた状態で前記脚に取り付けられたリング状のゴムと、
を備えることを特徴とするタンク支持装置。
【請求項２】
前記短軸の中心軸が前記タンクの中心を通ることを特徴とする請求項１に記載のタンク支持装置。
【請求項３】
前記短軸の中心軸の方向への荷重を前記ゴムに与えるとともに前記ゴムを前記脚に固定するカバー、
を備えることを特徴とする請求項１または２に記載のタンク支持装置。
【発明の詳細な説明】
【技術分野】
【０００１】
本発明は、タンクで発生する応力を低減するタンク支持装置に関するものである。
【背景技術】
【０００２】
タンクを支持する従来の装置として、吸振装置を設けた構成の装置が存在する（特許文献１）。特許文献１に記載された発明では、吸振装置を設けた支持柱の一端がタンクに固着され、支持柱の他端が球面軸受を介して外殻に取り付けられている。
【先行技術文献】
【特許文献】
【０００３】
【特許文献１】実開平３−２８３３９号公報
【発明の概要】
【発明が解決しようとする課題】
【０００４】
特許文献１に記載された発明は、支持柱からの曲げモーメントを抑制し、曲げモーメントによりタンクにて発生する応力を抑制するために、球面軸受を使用するとともに、支持柱に吸振装置を設けている。しかしながら、支持柱に吸振装置が設けられているため、支持柱の回転振動の減衰効果が小さく、タンクに加わる曲げモーメントの抑制効果も小さい。
【０００５】
本発明は、上記に鑑みてなされたものであって、タンクに加わる曲げモーメントの抑制効果を向上させたタンク支持装置を得ることを目的とする。
【課題を解決するための手段】
【０００６】
上述した課題を解決し、目的を達成するために、本発明は、地面に一端が固定された脚の他端に接続され、円筒形のタンクを支持するタンク支持装置である。タンク支持装置は、一端がタンクに固着された円柱状の短軸と、短軸の他端側に取り付けられた内輪および脚に取り付けられた外輪により構成された球面軸受と、短軸を貫通させた状態で脚に取り付けられたリング状のゴムと、を備える。
【発明の効果】
【０００７】
本発明によれば、タンクと短軸の取付部に加わる曲げモーメントの抑制効果を向上させることができる、という効果を奏する。
【図面の簡単な説明】
【０００８】
【図１】本発明にかかるタンク支持装置の正面図
【図２】タンク支持装置および脚の断面図
【発明を実施するための形態】
【０００９】
以下に、本発明の実施の形態にかかるタンク支持装置を図面に基づいて詳細に説明する。なお、この実施の形態によりこの発明が限定されるものではない。
【００１０】
実施の形態．
図１は、本発明にかかるタンク支持装置の正面図である。
【００１１】
図１に示したように、本実施の形態のタンク支持装置２０は、複数の脚１０の各々に接続され、円筒形のタンク１００を支持する。脚１０は、例えば４本とするがこれに限定するものではない。タンク１００は、遮断器、母線などを収納する。タンク支持装置２０は、支持装置本体２および円柱状の短軸３により構成されている。各タンク支持装置２０の各短軸３は一端がタンク１００の表面に固着されている。また、各短軸３は、軸方向、すなわち支持装置本体２側から見たときに中心軸３１がタンク１００の中心１０１と一致するように固着されており、中心軸３１を伸ばした場合、中心軸３１はタンク１００の中心１０１を通過する。短軸３の他端は、図１では記載を省略している球面軸受を介して支持装置本体２に接続されている。支持装置本体２は脚１０に固定されている。複数の脚１０の各々は、一端が基礎１を介して地面に固定され、他端にはタンク支持装置２０が接続されている。
【００１２】
図２は、タンク支持装置２０および脚１０の断面図である。脚１０は、例えば形鋼で製作される部材１１、平板１２および斜面を有する部材１３により構成され、これらは溶接されている。
【００１３】
タンク支持装置２０の支持装置本体２は、内輪２１Ａおよび外輪２１Ｂにより構成された球面軸受２１と、カバー２７およびリング状のゴム２８により構成された防振装置２６とを含んで構成されている。球面軸受２１の内輪２１Ａはリング状の部材２３および２４により短軸３に固定されている。球面軸受２１の外輪２１Ｂはリング状の部材２５により脚１０の部材１３に固定されている。防振装置２６のゴム２８は、カバー２７と一体化されて脚１０の部材１３に固定されている。ゴム２８は、短軸３を貫通させるとともに、カバー２７よりゴム２８の中心に向かう方向すなわち短軸３に向かう方向に荷重が与えられ、短軸３に密着している。支持装置本体２内部の短軸３および球面軸受２１の周囲には、ハッチングで示した空間２９が設けられているため、タンク１００に振動が加えられて短軸３が動いた場合にも、短軸３および短軸３に取り付けられたリング状の部材２３，２４が脚１０の部材１３、カバー２７などに接触することはない。
【００１４】
以上のように、本実施の形態によれば、地震等により振動が発生した場合、タンク１００に対し、脚１０が基礎１に固定された点を中心に回転させるモーメントが働くが、球面軸受２１により、タンク１００に固着された短軸３あるいは部材１３が軸方向に伸びるもしくは縮むとともに短軸３が回転することにより、短軸３への曲げモーメントが小さくなることから、タンク１００の短軸３の取付部に加わる曲げモーメントが抑制される。また、短軸３の中心軸３１がタンク１００の中心１０１を通ることにより、タンク１００が短軸３から受ける引張力あるいはせん断力によるタンク１００と短軸３の取付部に加わる曲げモーメントの発生が抑制される。また、タンク１００が回転すると短軸３も回転し、短軸３と、基礎１に固定された脚１０の一部である部材１３に固定されたカバー２７とによりゴム２８が挟まれていることから、例えば、短軸３のタンク１００に近い側にゴム２８が取り付けられる場合よりも、ゴム２８の変形が大きくなり、短軸３およびタンク１００の回転振動の減衰も大きくなる。以上のようにタンクの支持装置を構成したので、タンク１００と短軸３の取付部に加わる曲げモーメントの抑制効果を向上させることができ、タンク１００で発生する応力を低減できる。
【００１５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００１６】
１  基礎、２  支持装置本体、３  短軸、１０  脚、１１，１３，２３，２４，２５  部材、１２  平板、２０  タンク支持装置、２１  球面軸受、２１Ａ  内輪、２１Ｂ  外輪、２６  防振装置、２７  カバー、２８  ゴム、２９  空間、３１  中心軸、１００  タンク、１０１  中心。
【図１】
2016223606.tif 000003
【図２】
2016223606.tif 000004